(57)【特許請求の範囲】
【請求項１】
貯留水が充填された水槽と、
前記貯留水に浮遊した状態で水面上に浮上する浮遊地盤と、
前記水槽の外部領域に固定されて、上方に向かって突設する複数のガイド支柱と、
前記浮遊地盤に固定されて、前記ガイド支柱をスライド自在に挿入する挿入孔が設けられた接続部材と、を備え、
前記接続部材は、前記挿入孔を画定する環状の弾性体となる環状バネを有し、
前記浮遊地盤は、十字に組まれた状態で底面に固定されて、フロー穴が設けられたフラップ部材を有し、
前記フロー穴は、前記浮遊地盤と前記貯留水に相対変位が生じたとき、前記貯留水を通過させることを特徴とする浮上式人工地盤。
【請求項２】
前記環状バネは、ドーナツ形状の密閉された内部空間に、空気が充填されたエアチューブを含むことを特徴とする請求項１に記載の浮上式人工地盤。
【請求項３】
前記浮遊地盤の重量の一部を弾性支持する鉛直支持体を備えることを特徴とする請求項１または２に記載の浮上式人工地盤。
【請求項４】
前記浮遊地盤を、前記ガイド支柱に沿って上昇・下降させるためのリフト装置を備えることを特徴とする請求項１〜３のいずれか１項に記載の浮上式人工地盤。
【請求項５】
前記リフト装置は、前記ガイド支柱に設けられて、前記ガイド支柱に沿って上昇・下降する台車を有することを特徴とする請求項４に記載の浮上式人工地盤。
【請求項６】
前記貯留水から供給される水を、前記ガイド支柱、および／または前記浮遊地盤に向かって放水するスプリンクラーを備えることを特徴とする請求項１〜５のいずれか１項に記載の浮上式人工地盤。
【請求項７】
請求項１〜６のいずれか１項に記載の浮上式人工地盤と、
前記浮上式人工地盤の上面に設けられた家屋と、を備えることを特徴とする浮上式防災住宅。
【発明の詳細な説明】
【技術分野】
【０００１】
本発明は、通常時は水槽に浮遊し、洪水等により水位が上昇したとき、ガイド支柱に沿って浮上する浮上式人工地盤、および浮上式防災住宅に関する。
【背景技術】
【０００２】
近年、想定を超える災害が数多く発生している。例えば、１９９５年１月１７日には、阪神淡路大震災が発生した。この地震は、内陸で発生したいわゆる直下型地震であり、破壊した断層付近で非常に大きな縦揺れ・横揺れを生じ、神戸市を中心とした阪神地区で、家屋が倒壊し、地震火災が発生するなど甚大な被害を受けた。２０１１年３月１１日には、東日本大震災が発生した。この地震は、３つの海溝型地震が連動したものであり、大きな断層破壊が、宮城県沖、宮城県のさらに沖合、茨城県北部沖の陸に近い部分の順に起こったといわれている。建物の倒壊に加えて、地震火災も発生し、とくに地震に起因して発生した津波によって沿岸部に甚大な被害をもたらした。さらに、２０１９年１０月６日にマリアナ諸島の東海上で発生した台風１９号は、１２日に日本に上陸した。この台風では、広範囲にわたって大量の雨が降り続けた。この豪雨で、阿武隈川や千曲川の堤防が決壊するなど、河川の氾濫、決壊が相次いだ。浸水面積は２０１８年７月に発生し未曽有の豪雨となった西日本豪雨（約１万８５００ヘクタール）を上回ったといわれている。
【０００３】
対策として、高台に住宅を建築するなどの対策をとることで、これらの災害に対して、対応は可能であるとも考えられる。しかし、すべての家屋が高台に移転することは現実的ではなく、このような対策を講じたとしても浸水等の被害は防ぎきれない。例えば、大雨時に雨水の排水能力を超えてマンホールから雨水が逆流して噴き出すことがあり、比較的高台の住宅であっても、浸水被害が多発している。東日本大震災では、比較的高い土地においても津波による浸水被害や水没被害が発生している。
【０００４】
さらに、大規模な火災も発生している。２０１６年１２月２２日の昼前に糸魚川市において発生した糸魚川市大規模火災では、発生から約３０時間燃え続けた。火災が発生した当日は、温かい南風が山を越えて日本海側に吹き降ろすと同時に空気を乾燥させ気温が上がるフェーン現象が起きており、これが大規模火災の一因となったと考えられている。
【０００５】
以上述べた状況に鑑みると、居住地では、地震時の家屋の倒壊対策、水害時の浸水対策、火災時の延焼防止対策、さらに津波襲来時の避難対策等が求められる。
【０００６】
特許文献１では、建家に対し地震による揺動の加速度を少なくして和らげ建家の損壊転倒を防止する建築物で、更に高潮水害時に建家が冠水しない水害対応免震建築物が開示されている。特許文献２では、地震時の構造物の倒壊防止と水害時の構造物の浸水回避のための避難用人工地盤浮上構造が開示されている。
【０００７】
しかし、特許文献１で開示される発明は、制振性能が十分でない事態が想定されるか、十分な制振性能を具備する場合は装置が複雑となる問題がある。さらに水位が上昇して浮体が上昇するときガイドとなるアンカーポールの固定が十分ではなく安定した上昇ができない虞がある。
【０００８】
特許文献２で開示される発明は、地震時にガイド用支柱が変形して制振することを前提とした構造であり、水位が上昇したときは、変形した状態のガイド支柱に沿って上昇する。そのため、地震に起因する津波の襲来で水位が上昇したとき、円滑な上昇ができない虞がある。また、制振効果を高めることを目的に、積層ゴムプレート等の特別な制振装置を使用していることから構造が複雑で高価となる。
【先行技術文献】
【特許文献】
【０００９】
【特許文献１】特開２００７−７７７５８号公報
【特許文献２】特開２０１４−８７９７号公報
【発明の概要】
【発明が解決しようとする課題】
【００１０】
本発明の目的は、地震の応答を低減するとともに、水位の上昇に伴って円滑に浮上し、上昇することで、地震・洪水・火災・津波からの被災を回避できる、簡単な構造で安価な浮上式人工地盤、および浮上式防災住宅を提供することである。
【課題を解決するための手段】
【００１１】
上記課題を解決するための発明は、浮上式人工地盤であって、貯留水が充填された水槽と、貯留水に浮遊した状態で水面上に浮上する浮遊地盤と、水槽の外部領域に固定されて、上方に向かって突設する複数のガイド支柱と、浮遊地盤に固定されて、ガイド支柱をスライド自在に挿入する挿入孔が設けられた接続部材を備え、接続部材は、挿入孔を画定する環状の弾性体となる環状バネを有し、浮遊地盤は、十字に組まれた状態で底面に固定されて、フロー穴が設けられたフラップ部材を有し、フロー穴は、浮遊地盤と貯留水に相対変位が生じたとき、貯留水を通過させることを特徴とする。
【００１２】
この構成によれば、地震時においては、貯留水に浮遊する浮遊地盤と環状バネの相互作用で、浮遊地盤の応答加速度、および応答変位を低減できる。具体的に説明すると、浮遊地盤が貯留水中を移動するとき、水槽と浮遊地盤の隙間に存する水は、一部は押されて圧力が高まり、それ以外の部分に排出される。また、排出された水が、浮遊地盤を動かすことはない。これにより、浮遊地盤が移動するときのエネルギーが、水が排出されるエネルギーに変換される。この浮遊地盤が水中を移動するときの減衰力は、浮遊地盤と水槽の相対移動速度に依存するといわれている。さらに浮遊地盤は環状バネによって弾性支持されているので、変位して移動した浮遊地盤は、バネの復元力によって元の位置に戻る。すなわち、浮上式人工地盤は、バネとダッシュポットが直列につながれた制振機能を具備する構造系となり、ダンパー等の構造物に適用される特別な制振装置を用いることなく、簡単な構成で制振機能を具備する構造系を構成する。
また、この構成によれば、地震のとき、接続部材を介してガイド支柱に負荷される力は小さくなり、地震発生直後においても、ガイド支柱は水槽の外部領域に固定された状態で元の形状を維持できる。これにより、地震の発生直後に津波が襲来して周囲の水位が上昇したときでも、浮遊地盤をガイド支柱に沿って円滑に上昇させることができる。
また、この構成によれば、貯留水がフロー穴を通過することで、浮遊地盤が貯留水中を移動するときの減衰力をさらに大きくできる。
また、この構成によれば、浮遊地盤が貯留水中を移動するとき、貯留水の一部は十字に組まれた部材が交差する位置に向かって移動する。このときフラップ部材近傍の水圧は周囲に比べ上昇する。水圧が上昇した貯留水が、フロー穴を通過するとき、浮遊地盤を動かすためにより大きなエネルギーを要する。すなわち、浮遊地盤が貯留水中を移動するときの減衰力は、より一層増大する
【００１３】
好ましくは、環状バネは、ドーナツ形状の密閉された内部空間に、空気が充填されたエアチューブを含む。
【００１４】
この構成によれば、環状バネは、ドーナツ形状の密閉された内部空間に、空気が充填されたエアチューブを含むので、空気圧を変化させることで、バネ定数を適宜・適切に設定できる。また、ゴム系の弾性体と比較して、軽量化が可能となる。
【００１９】
好ましくは、浮遊地盤の重量の一部を弾性支持する鉛直支持体を備える。
【００２０】
この構成によれば、浮遊地盤は、貯留水の浮力と鉛直支持体の双方によって支持されているので、通常時において、貯留水のみで支持される状態と比較して上下方向の変位を抑制できる。また、上下方向についても、バネとダッシュポットが直列につながれた制振機能を具備する構造系となり、直下型地震が発生したときでも、地震による鉛直方向の応答加速度、および応答変位を低減できる。
【００２１】
好ましくは、浮遊地盤をガイド支柱に沿って上昇・下降させるためのリフト装置を備える。
【００２２】
巨大津波が襲来して、海水面が一気に上昇したとき、浮遊地盤の浮上が海水面の上昇に追い付かず、海水に呑み込まれる事態が想定される。しかし、この構成によれば、浮遊地盤をガイド支柱に沿って上昇・下降させるためのリフト装置を備えるので、巨大津波の襲来が予想される事態では、リフト機構で浮遊地盤をあらかじめ予想される海面上昇より高い位置に上昇させておくことで、巨大津波に巻き込まれ浸水する被害を回避できる。
【００２３】
好ましくは、リフト装置は、ガイド支柱に設けられて、ガイド支柱に沿って上昇・下降する台車を有する。
【００２４】
この構成によれば、台車はガイド支柱に設けられているので、浮遊地盤を上昇・下降するのに必要となる支持構造を別途設営することを要しない。
【００２５】
好ましくは、貯留水から供給される水を、ガイド支柱、および／または浮遊地盤に向かって放水するスプリンクラーを備える。
【００２６】
この構成によれば、スプリンクラーで使用する水は、貯水容量の大きな貯留水であり、放水した水の一部は水槽に還流できるので、火災が発生したとき、長時間に渡り放水できる。これにより、ガイド支柱および浮遊地盤の延焼、および火炎熱による変形を回避できる。
【００２７】
上記課題を解決するための他の発明は、浮上式防災住宅であって、上述した浮上式人工地盤と、浮上式人工地盤の上面に設けられた家屋を備えることを特徴とする。
【００２８】
この構成によれば、家屋は地震・洪水・火災・津波からの被災を回避する浮上式人工地盤の上面に設けられているので、地震・洪水・火災・津波に対して高い防災性能を具備する。
【図面の簡単な説明】
【００２９】
【図１】（ａ）は、浮上式防災住宅の正面断面図であり、（ｂ）は同、平面図である。
【図２】フラップ部材の取付状態を説明する底面図、および部分斜視図である。
【図３】ガイド支柱、および接続部材の部分平面断面図である。
【図４】ガイド支柱、台車、および接続部材の部分正面断面図である。
【図５】洪水時の状態を説明する正面図である。
【図６】（ａ）、（ｂ）は津内襲来時の対応を説明する正面図である。
【発明を実施するための形態】
【００３０】
本発明の実施形態について、図１〜６を参照して説明する。
【００３１】
図１（ａ）（ｂ）に示す通り、浮上式防災住宅１（以後、防災住宅１と呼ぶ）は、浮上式人工地盤１０（以後、人工地盤１０と呼ぶ）の上に家屋１００が建てられた構造である。浮遊地盤２０は、重量の一部が鉛直支持体６０に支持された状態で、水槽３０に貯水された貯留水Ｗに浮遊している。また、地面２００に固定されるガイド支柱４０に接続部材５０を介してスライド自在に固定されている。家屋１００は中庭１１０が設けられた２階建ての住宅であり、屋上には太陽光パネル１３０が設けられている。中庭１１０は乗用車１２０が収容できる駐車スペースが設けられている。家屋１００の重心は、平面視で浮遊地盤２０の重心に一致させることが好ましい。これにより、家屋１００は水平状態を保った状態で、貯留水Ｗに浮遊する。
【００３２】
人工地盤１０は、浮遊地盤２０、水槽３０、ガイド支柱４０、および接続部材５０等を有している。
【００３３】
水槽３０は、鉄筋コンクリート製であり、底板３０ａ、および底板３０ａの外周端から上方に向かって垂直に延びる側壁３０ｂを有している。また、上方に開口した凹部３１に、浮遊地盤２０を浮遊させるための貯留水Ｗが貯水されている。水槽３０は、所定の水密性能を具備して、貯留水Ｗの漏水を防止できる構造とすることが好ましい。
【００３４】
スプリンクラー８０は、第１スプリンクラー８１、および第２スプリンクラー８２を有しており、側壁３０ｂに固定されている。第１スプリンクラー８１は、ガイド支柱４０に向かって放水するためのものであり、接続部材５０を挟んで配設されている。第２スプリンクラー８２は、浮遊地盤２０、および家屋１００に向かって放水するためのものであり、浮遊地盤２０を四方から囲む状態で配設されている。スプリンクラー８０に供給する水は、貯留水Ｗを利用する。
【００３５】
浮遊地盤２０は、底面２０ａ、側面２０ｂ、および上面２０ｃを有する略直方体の鋼製の中空構造であり、内部は、隔壁２３によって複数の小部屋に仕切られている。上面２０ｃには家屋１００が建てられており、上面２０ｃの四隅に接続部材５０が固定されている。また、底面２０ａにフラップ部材２１が固定されている。
【００３６】
鉛直支持体６０は、上下方向に伸縮するバネであり、通常時において、浮遊地盤２０の重量の一部を支持した状態で、接続部材５０と地面２００の隙間に配設されている。すなわち、通常時において、圧縮力が付勢されている。また、下端は地面２００に固定され、上端は、接続部材５０と接触して、相互にスライドできる構造となっている。これにより、浮遊地盤２０は、貯留水Ｗの浮力と鉛直支持体６０の双方によって鉛直方向に支持されているので、通常時において、貯留水Ｗのみで支持される状態と比較して上下方向の変位を抑制できる。
【００３７】
図２に示す通り、フラップ部材２１は、浮遊地盤２０の底面２０ａに固定されている。十字に組まれた構造であり、それぞれの部材は、底面２０ａの対角線の方向に延びて、中心部で交差している。断面はウェブ２１ａとフランジ２１ｂで構成されるＴ字型であり、ウェブ２１ａは、底面２０ａに固定されている。また、ウェブ２１ａにフロー穴２２が設けられている。
【００３８】
ガイド支柱４０は挿入孔５０ａに挿入された状態で、水槽３０の外部領域の地面２００に固定されている。図３に示す通り、ガイド支柱４０は、上端・下端が閉塞された上下方向に延びる略円筒形状の部材で、上下方向に延びる３本のレール４１と、１本のラック４２が配設されている。レール４１は、接続部材５０の水平方向の回転を拘束するとともに、上下方向に誘導するためのものであり、ラック４２はのこぎり形状の部材であり、台車７０を上昇・下降させるためのものである。
【００３９】
図３、４に示す通り、接続部材５０は、接続部５１、および環状バネ５２を有している。接続部５１は、断面が、Ｉ型の部材で、一端が浮遊地盤２０に固定され、他端が環状バネ５２に接続している。環状バネ５２は、ガイド支柱４０をスライド自在に挿入するための挿入孔５０ａが画定されている。
【００４０】
環状バネ５２は、接続部５１に接続する外環状材５４と、挿入孔５０ａを画定する内環状材５５と、外環状材５４および内環状材５５に挟持されるドーナツ形状のエアチューブ５３を有している。エアチューブ５３は、密閉された空間に空気が充填された構造であり、空気の圧縮・膨張によって変形するドーナツ形状の空気バネである。また、内部に空気を充填するためのバルブ（図示略）が設けられている。
【００４１】
内環状材５５は、略円筒形状の部材であり、外面はエアチューブ５３と接触しており、内面はレール４１を両側から挟み込むための挟持板５６が固定されている。また、挟持板５６とガイド支柱４０は所定の間隔が設けられているとともに、レール４１は、内環状材５５の内面に接触している。
【００４２】
外環状材５４は、略円筒形状の部材であり、内面はエアチューブ５３と接触している。また、下端には、径方向の内側に向かって直角に延びる鍔部５４ａが設けられている。鍔部５４ａは、台車７０が上昇・下降するとき、台車７０に接触して、浮遊地盤２０の重量を台車７０に負担させる。
【００４３】
台車７０は、ガイド支柱４０を取り囲む状態で、環状バネ５２の下方に設けられている。台車７０は、駆動することでガイド支柱４０に沿って上昇・下降する台車本体７１と、台車７０の上端部に設けられた支持板７２を有している。また、台車本体７１は、レール４１に沿って回動する車輪（図示略）、駆動源となるモータ（図示略）、およびモータで回動する歯車（図示略）を有する。
【００４４】
地震時の防災住宅１の挙動について説明する。
【００４５】
地震が発生したとき、地盤２１０は水平方向に大きく加振されて変位する。一方で、浮遊地盤２０は、貯留水Ｗに浮遊した状態で、ガイド支柱４０、およびエアチューブ５３を有する接続部材５０を介して地盤２１０と接続するので、地盤２１０と異なる挙動となる。
【００４６】
この挙動について、具体的に説明する。エアチューブ５３のバネの力で、浮遊地盤２０は所定の周期が卓越した周期運動をしようとする。このとき、貯留水Ｗと、浮遊地盤２０に相対変位が生じ、貯留水Ｗの一部は押されて圧力が高まり、それ以外の部分に排出される。これにより、浮遊地盤２０が貯留水Ｗ中を移動するエネルギーが、貯留水Ｗが排出されるエネルギーに変換される。同時に、貯留水Ｗの一部は、フラップ部材２１の十字に組まれた部材が交差する位置に向かって移動しようとする。このとき、フラップ部材２１の近傍の水圧は周囲に比べて上昇した状態でフロー穴２２を勢いよく通過する。これにより、貯留水Ｗがフロー穴に押し出されるエネルギーが、フロー穴２２から勢いよく通過するエネルギーに変換される。これらエネルギー変換が生じるときの減衰力は、浮遊地盤２０が変位する速度に依存する。上述したエネルギー変換によって、浮遊地盤は減衰力を受けながら、貯留水Ｗ中を移動する。貯留水Ｗ中を移動した浮遊地盤２０はエアチューブ５３によって弾性支持されているので、バネの復元力によって元の位置に戻ろうとする。
【００４７】
上述した通り、人工地盤１０は、バネと速度依存型のダッシュポットが直列につながれた制振機構を具備する構造系となる。エアチューブ５３のバネ定数、フロー穴の取付位置・大きさ・個数、および浮遊地盤２０と側壁３０ｂとの間に設けられる隙間等を適切に設定することで、地震による、浮遊地盤２０の応答加速度等を低減できて、家屋１００の損傷を免れ得る。また、ガイド支柱４０については、浮遊地盤２０の地震応答に起因して生じる地震力を低減できる。これにより、ガイド支柱４０は、地震時において破損を免れて元の状態を維持できるので、浮遊地盤２０の円滑な上昇・下降が可能となる。
【００４８】
水平方向の加速度が卓越する地震挙動について説明したが、直下型地震のように大きな垂直加速度が生じる場合についても、同様のメカニズムで地震に起因する応答加速度等を低減できる。
【００４９】
火災時の対応について説明する。
【００５０】
火災が発生したとき、第１スプリンクラー８１を動作してガイド支柱４０の方向に向かって放水する。同時に、第２スプリンクラー８２を動作して、浮遊地盤２０の方向に向かって放水する。放水された水の潜熱効果によって、ガイド支柱４０、浮遊地盤２０、および家屋１００の温度上昇が抑制されて火災被害を回避できる。スプリンクラー８０に供給する水は貯留容量が大きな貯留水Ｗを用いる。また、浮遊地盤２０の方向に向かって放水された水の一部は水槽３０に還流されて、再び貯留水Ｗとなる。このように、大容量の水を効率よく有効利用できるので、長時間にわたる放水が可能となる。
【００５１】
洪水時の挙動について、図５を参照して説明する。
【００５２】
洪水の発生により、周辺の水位が徐々に上昇したとき、水位の上昇に伴って浮遊地盤２０は浮力を受ける。これにより、浮遊地盤２０はガイド支柱４０に沿って徐々に上昇する。また、接続部材５０と鉛直支持体６０は、離反する。浮遊地盤２０は、ガイド支柱４０によって上下方向以外の変位が拘束されているので、濁流によって流されることはない。洪水が収まり、水位が低下するに従い、浮遊地盤２０は下降して、水槽３０の中に納まる。
【００５３】
津波襲来時の対応について、図６（ａ）、（ｂ）を参照して説明する。
【００５４】
地震が発生して、津波の襲来が予想されるときは、台車７０を動作してあらかじめ浮遊地盤２０を上昇させておく。モータを駆動して歯車を回動し、回動した歯車がラック４２とかみ合うことで、台車７０は、ガイド支柱４０に沿って上昇・下降する。台車７０が上昇したとき、支持板７２と鍔部５４ａが接触して接続部材５０を上昇させる。これに伴って、浮遊地盤２０は上昇する。上昇高さは、津波の第１波の当初の波高よりも高い位置とすることか好ましい。この状態の高さに浮遊地盤２０を置くことで、一気に波高が高くなる津波が襲来したときでも、家屋１００は、津波に呑み込まれることはない。なお、津波の第１波の波高の予測が困難なときは、浮遊地盤２０が上昇できる最大の高さまで上昇させておく（図６（ａ）参照）。
【００５５】
津波の波高がさらに高くなり、海水面が上昇したときは、浮力により浮遊地盤２０はさらに上昇する。接続部材５０の下端の高さが、ガイド支柱４０の上端の高さよりも高くなったとき、浮遊地盤２０は、ガイド支柱４０から離れ、津波の流れに任せて漂流する。家屋１００とともに漂流するので、長時間にわたり家屋の中で避難できる（図６（ｂ）参照）。また、洪水時においても、津波の襲来が予想されるときと同様に、台車７０を動作して、浮遊地盤２０を洪水の水位よりも高い位置に上昇させてもよい。これにより、濁流による水の抵抗を低減できる。
【００５６】
本実施形態は、例示であり、本発明の技術思想を逸脱しない範囲で改変できることは勿論である。例えば、ガイド支柱は４本設置していたが、２本でも３本でも、また５本以上であってもよい。また、フロー穴は底面に固定されたフラップ部材のウェブに設けたが、側面および／または底面に固定された複数の板のそれぞれに設けてもよい。また、フラップ部材は、底面に設けたが側面に設けてもよい。また、本実施形態では、ガイド支柱に設けられた台車をリフト装置として浮遊地盤を上昇・下降させたが、別途設置された支柱に、台車を設けてもよい。また、台車を用いない構成、例えばフォークリフトのリフト装置とほぼ同様の構成としてもよい。
【産業上の利用可能性】
【００５７】
本発明に係る防災住宅は、地震、火災、洪水、津波災害に対して幅広く対応して、家屋を守ることができる。また、駐車場を設けることで自動車についても災害を免れ得ることから産業上の利用可能性は大である。
【符号の説明】
【００５８】
１：防災住宅
１０：人工地盤
２０：浮遊地盤
２１：フラップ部材
２２：フロー穴
３０：水槽
４０：ガイド支柱
５０：接続部材
５０ａ：挿入孔
５２：環状バネ
５３：エアチューブ
６０：鉛直支持体
７０：台車
８０：スプリンクラー
１００：家屋
Ｗ：貯留水
【要約】      （修正有）【課題】地震の応答を低減するとともに、水位の上昇に伴って円滑に浮上し、上昇することで、地震・洪水・火災・津波からの被災を回避できる、簡単な構造で安価な浮上式人工地盤、および浮上式防災住宅を提供する。【解決手段】浮上式防災住宅１は、浮上式人工地盤１０の上に家屋１００が建てられた構造で、浮遊地盤２０は、重量の一部が鉛直支持体６０に支持された状態で水槽３０に貯水された貯留水Ｗに浮遊し、浮遊地盤２０に固定される接続部材５０は、地面２００に固定されるガイド支柱４０に上下方向にスライド自在に挿入され、接続部材５０は、環状バネ５２によってガイド支柱４０に水平方向に弾性支持され、底面２０ａは、フロー穴２２が設けられたフラップ部材２１が固定され、家屋１００は中庭１１０が設けられた２階建ての住宅で、屋上には太陽光パネル１３０が設けられ、中庭１１０は乗用車１２０が収容できる駐車スペースが設けられている。【選択図】図１【図１】
0006864391.tif 000002
【図２】
0006864391.tif 000003
【図３】
0006864391.tif 000004
【図４】
0006864391.tif 000005
【図５】
0006864391.tif 000006
【図６】
0006864391.tif 000007